(57)【要約】【課題】高く積上げると、溶け液で手が汚れたり床やジュウタンを汚す恐れをなくし、ソフトアイスクリーム高く積上げる本来の醍醐味を満足させ得るコーン容器を提供する。【解決手段】液溜り部を有する握り部と、その上方から外に向かって拡開した椀部とを備え、該液溜り部上方から椀部に至る内面に鉛直方向に複数の縦割溝を有するソフトアイスクリーム積上げ台を環状に立上げ、該積上げ台の台面を前記椀部の上縁より高位に突き出するとともに、前記縦割溝を介して独立した各積上げ台の背面をリブを介して前記椀部内面に連繋したことを特徴とし、ソフトアイスクリームの積上げに際し、椀部の上縁より目立って高位にある積上げ台の台面に確実にソフトアイスクリームの積上げができ、ソフトアイスクリームの表面からの溶け液が、椀部に確実に受け止められて複数の縦割溝を通って（伝って）握り部内の液溜り部に総て溜まるように構成したものである。【選択図】図１
2011051633.tif 000002
【特許請求の範囲】
【請求項１】
液溜り部を有する握り部と、その上方から外に向かって拡開した椀部とを備え、該液溜り部上方から椀部に至る内面に鉛直方向に複数の縦割溝を有するソフトアイスクリーム積上げ台を環状に立上げ、該積上げ台の台面を前記椀部の上縁より高位に突出すとともに、前記縦割溝を介して独立した各積上げ台の背面をリブを介して前記椀部内面に連繋したことを特徴とするコーン容器。
【請求項２】
前記リブが、その峰部を前記椀部内面の上縁より下側に連繋するか、峰部の途中に凹所を設けたことを特徴とする請求項１に記載のコーン容器。
【発明の詳細な説明】
【技術分野】
【０００１】
本発明は、ソフトアイスクリームを積上げるためのコーン容器、特に、ソフトアイスクリームを積上げ易く、積上げたソフトアイスクリームの表面が溶けて、その溶け液が握り部内の液溜り部に確実に誘導されるようにし、溶け液で握り部を握る手を汚さないようにしたコーン容器に関するものである。
【背景技術】
【０００２】
従来のソフトアイスクリームを積上げるためのコーン容器は、ウエハースなどからなる逆円錐筒形をした握り部と、その上方から外に向けて円弧状を描いて反り返るように拡開した椀部とを備え、該椀部の反り返り内面から鉛直方向にソフトアイスクリーム積上げ部を立ち上げていた。このソフトアイスクリーム積上げ部は、前記椀部の上縁とほぼ同高位置になっていたため、ソフトアイスクリームはその積上げ部上面から椀部上縁に跨がって積上げられていた。
【発明の開示】
【発明が解決しようとする課題】
【０００３】
しかしながら、前記ソフトアイスクリーム積上げ部と椀部上縁に積上げたソフトアイスクリームの食べる速さは、大人と子供、老若男女などによって差はあるが、積上げたソフトアイスクリームの表面が溶けて液状になる速さは時間の経過により等しく起こるものであり、その溶け液が椀部上縁から溢れて握り部を握っている手を溶け液によりベタベタに汚したため、不快感と不潔感をもたらしたばかりでなく、車内や家屋内の床やジュウタンをも汚すことがあった。したがって、最近ではソフトアイスクリームの積上げ高さを低くして早く食べ尽くすように考慮する店も現れるようになり、出来るだけ高く積上げたいとするソフトアイスクリームの本来の醍醐味（欲求）を満足させることが出来なくなってきていた。
【０００４】
本発明は、上記従来のコーン容器の問題点を解決するためのもので、その目的とするところは、ソフトアイスクリームの表面が溶け、その溶け液が握り部内の液溜り部に総て確実に誘導されるようにして握り部を握る手を汚さず、床やジュウタンに垂らすことも確実になくし、高く積上げたいとするソフトアイスクリームの本来の醍醐味を満足させることのできるコーン容器を提供することにある。
【課題を解決するための手段】
【０００５】
上記の目的を達成するため、本発明に係るコーン容器は、液溜り部を有する握り部と、その上方から外に向かって拡開した椀部とを備え、該液溜り部上方から椀部に至る内面に鉛直方向に複数の縦割溝を有するソフトアイスクリーム積上げ台を環状に立上げ、該積上げ台の台面を前記椀部の上縁より高位に突出すとともに、前記縦割溝を介して独立した各積上げ台の背面をリブを介して前記椀部内面に連繋したことを特徴とし、ソフトアイスクリームの積上げに際し、椀部の上縁より目立って高位にある積上げ台の台面に確実にソフトアイスクリームの積上げができ、しかも、ソフトアイスクリームの表面から流れ出た溶け液は、椀部に確実に受け止められて複数の縦割溝を通って（伝って）握り部内の液溜り部に総て溜まるように構成している。
【０００６】
また、請求項２に記載の発明に係るコーン容器は、前記リブが、その峰部を前記椀部内面の上縁より下側に連繋するか、峰部の途中に凹所を設けたことを特徴とし、ソフトアイスクリームの表面から流れた溶け液がリブの峰部を伝って椀部上縁を越えて溢れ出ることがないように構成している。
【発明の効果】
【０００７】
本発明によれば、押出機械から抽出されるソフトアイスクリームの積上げに際し、椀部の上縁より目立って高位にある積上げ台の台面に、確実にソフトアイスクリームの積上げができる。また、縦割溝を介して独立した各積上げ台の背面はリブを介して椀部内面に連繋しているため、各積上げ台は積上げたソフトアイスクリームの重さにもバランスを失ったりグラ付くこともない。しかも、積上げたソフトアイスクリームの表面から流れ出た溶け液は、椀部により確実に受け止められるとともに、積上げ台の複数の縦割溝を通って握り部内の液溜り部に総て導かれて溜まり、握り部を握っている手を汚すことが一切なく、したがって、可及的に高く積上げたいとする、ソフトアイスクリームの本来の醍醐味（欲求）を充分に満足させることができるなど各種の優れた効果を奏するものである。
【０００８】
また、請求項２記載の発明によれば、ソフトアイスクリームの表面から流れ出、その溶け液が、たとえ、リブの峰部を伝って流下したとしても、峰部は椀部内面の上縁より下側に連繋するか、峰部の途中が凹所になっているため、椀部上縁より溢れず、総て、握り部内の液溜り部に導かれることから、握り部を握っている手を汚さないことは勿論、車内や家屋内の床やジュウタンを汚すこともないなどの優れた効果を奏するものである。
【発明を実施するための最良の形態】
【０００９】
次に、本発明の実施の形態を図面に基づいて説明する。図１は本願コーン容器の上方から見た斜視図、図２は本願コーン容器の縦断正面図、図３は椀部とソフトアイスクリーム積上げ台との関係を示す部分断面図、図４は椀部の上縁より目立って高位にある積上げ台の台面上へソフトアイスクリームを積上げた状態を示する部分正面図である。
【００１０】
図１、図２の如く、本願コーン容器１は、ウエハースなどからなる液溜り部２を有する握り部３と、該握り部３の上方から外に向って拡開した椀部４とを備えている。液溜り部２を有する握り部３は逆円錐筒形をしているが、基本的にはソフトアイスクリームを食べる人が片手で握り易い（持ち易い）と考えられる形状であれば逆円錐には限らない。たとえば、逆三角錐、逆四角錐、逆五角錐、逆六角錐、逆八角錐なども考えられるし、マイクの握りと同形状、陸上のリレー競技に使うバトン形状でもよい。また、その表面には握り易さと補強を兼ねて縦リブや凹凸模様を付しておくこともある。
【００１１】
前記椀部４の外面下部（環状の突条を設けている）は、前記握り部３を握り持ったときに、その持つ手の親指とひとさし指にて作る輪の上面に当たる。これは丁度、日本刀などの刀剣に見られる刀の鍔の役目をも果たし、後記するようにソフトアイスクリームを乗せた状態で本願コーン容器１を持ち歩くときに手に良く納まり、大人はもちろん、小学生低学年や幼稚園児や保育園児など誰でもが、安心してゆっくりとソフトアイスクリームを味わいながら楽しむことができるようにしている。
【００１２】
前記液溜り部２の上方から椀部４に至る内面は、外に向って拡開されているもので、自然な形のアール面５になっている。このアール面５には鉛直方向に複数（図では５個）の縦割溝６を有するソフトアイスクリーム積上げ台７が環状（輪状）に立上げられている。この積上げ台７は、前記椀部４の中心部にあり、積上げ台７上に積上げたソフトアイスクリーム（図４参照）８の表面が溶け、その溶け液８′が垂れ下がったときには、積上げ台７の外面７′を伝って椀部４内に確実に収容されることとなる。もちろん、椀部４内に収容された溶け液（破線矢印で示す）８′は、前記アール面５が露出している縦割溝６の溝底を通って液溜り部２に集まるようになっている。なお、ソフトアイスクリーム８の中心部において生じた溶け液８′も、積上げ台７の中心孔７″を伝って液溜り部２に集まるようになっていることは勿論である。
【００１３】
前記積上げ台７のソフトアイスクリーム８を積上げる台面９は、前記椀部４の上縁４′より目立つ寸法Ｈだけ高位になっている。この寸法Ｈとしては５〜１５ｃｍ位が適当である。すなわち、積上げ台７の台面９が椀部４の上縁４′より目立って高くなっていると、本願コーン容器１の積上げ台７を、押出機械からソフトアイスクリームを抽出させる出口部に位置させて回しながらソフトアイスクリームを積上げるに際し、積上げ台７上に確実に積上げることができるし、たとえ積上げ台７からはみ出したとしても椀部４の上縁４′にまで及ぶことがない。
【００１４】
前記積上げ台７の台面９には、これに螺旋状に積上げるソフトアイスクリーム８を食込ませるために必要な凸状接触面（下駄の歯形状）１０ができている。すなわち、押出機械から抽出されるソフトアイスクリームの螺旋状に積上げる初期においてソフトアイスクリームが台面９よりズレてしまうことを確実になくし、ソフトアイスクリームの積上げ作業を誰にても手早く手軽で簡単にできるようにしたこと、及び本願コーン容器１の握り部３を握ってソフトアイスクリームを持ち歩くときに、前記積上げ台７の台面９上に螺旋状に積み上げられた柔らかく凍ったソフトアイスクリームがズレ落ちることがないようにしたこと、などのためである。
【００１５】
前記環状の積上げ台７は、縦割溝６を介して複数個（図において５個）に分割され、各積上げ台７はそれぞれ独立して立っているが、各積上げ台７の背面はリブ１１を介して前記椀部４の内周に連繋されている。このリブ１１は積上げたソフトアイスクリームの重さによって各積上げ台７がバランスを失ったり、グラ付いたりすることがないよう支持させたものである。もちろん、該リブ１１の峰部を伝ってソフトアイスクリーム８の溶け液が椀部４の上縁４′を越えて溢れることを防止するため、前記リブ１１の峰部は図３（ａ）の如く、椀部４の上縁４′より下側に連繋させて凹所１２を作っている。この凹所１２により溶け液は椀部４内に確実に落下し、縦割溝６の溝底を通って液溜り部２に集まることとなる。また、前記リブ１１の峰部を図３（ｂ）の如く、椀部４の上縁４′に面一に連繋させたとしても、その途中に凹所１２′を設けておけば、溶け液はこの凹所１２′より椀部４内に確実に落下し、縦割溝６の溝底を通って液溜り部２に集まることとなる。
【００１６】
次に、本願コーン容器１の作用を説明する。本願コーン容器１の液溜り部２を有する握り部３をほぼ水平状に握り持ち、押出機械のソフトアイスクリーム出口部に、積上げ台７を位置させ、抽出させたソフトアイスクリームの抽出端を積上げ台７の台面９に乗せた時点で本願コーン容器１を水平方向に小さく回しつつ積上げ台７上にソフトアイスクリームを螺旋状に積上げる。
【００１７】
この場合、積上げ台７の台面９は、前記椀部４の上縁４′より目立って高くなっているため、積上げようとする台面９が明確であり、多少、手元が狂ったとしてもソフトアイスクリームが積上げ台７からはみ出してしまうことがないし、たとえはみ出したとしても椀部４の上縁４′にまで及ぶことはない。また、積上げ台７の台面９には下駄の歯形のような凸状の接触面１０があるため、これに押出機械から抽出されるソフトアイスクリームが良く食込み、積上げ作業が誰にても手早く手軽で簡単にできるし、積上げられたソフトアイスクリームを本願コーン容器１とともに顧客に手渡すことも、顧客が手にもって歩いてもソフトアイスクリームが台面９よりズレ落ちることがない。
【００１８】
かくして、前記積上げ台７は、前記椀部４の中心部にあり、積上げ台７の台面９上に積上げたソフトアイスクリーム８の表面が溶け、その溶け液８′が垂れ下がっても積上げ台７の外面７′を伝って椀部４内に確実に収容され、椀部４内に収容された溶け液８′は縦割溝６の溝底を通って液溜り部２に集まるから椀部４の上縁４′を溢れ出て握り部３を持つ手を溶け液でベタベタにすることがないし、車内や家内の床やジュウタンを溶け液で汚すこともない。
【００１９】
前記縦割溝６を介して複数個（図において５個）に分割された各積上げ台７の背面はリブ１１を介して前記椀部４の内周に連繋され、各積上げ台７が積上げたソフトアイスクリームの重さによってバランスを失ったりグラ付いたりすることがないようにしているが、リブ１１の峰部は椀部４の上縁４′より下側に連繋させて凹所を形成するか、峰部の途中に凹所を設けておけば、溶け液はこの凹所より椀部４内に落下し、縦割溝６の溝底を通って液溜り部２に集まるから、椀部４の上縁４′を越えて外に溢れることを防止する。
【００２０】
このように、ソフトアイスクリームから溶けて垂れ流れ落ちる溶け液は、その総てが椀部４内に受け入れられ、積上げ台７の縦割溝６の溝底を通って握り部３内の液溜り部２に集まり椀部４の上縁４′より溢れ出て握り部３を持つ手を溶け液でベタベタにすることがないし、車内や家内の床やジュウタンを溶け液で汚すこともなく、したがって、ソフトアイスクリームの積上げ高さを出来るだけ高く積上げることができる。すなわち、ソフトアイスクリームを高く積上げたいとするソフトアイスクリームの本来の醍醐味（欲求）を充分に満足させることが出来る。
【産業上の利用可能性】
【００２１】
本願コーン容器１は、ソフトアイスクリームの販売時に、ソフトアイスクリームを積上げ易くし、積上げたソフトアイスクリームの表面が溶けてもその溶け液が握り部内の液溜り部に確実に誘導されるようにし、溶け液で握り部を握る手を汚さないし、車内や家内の床やジュウタンを溶け液で汚すこともなく、大人はもちろん、小学生低学年や幼稚園児や保育園児など、誰でもが、安心してゆっくりとソフトアイスクリームを楽しむことができるもので、その利用可能性が極めて大きいものである。なお、椀部４の中央部に立上げたソフトアイスクリーム積上げ台７は椀部４に対して鉛直方向になっているので、容易に製造できるし、実用化が可能である。
【図面の簡単な説明】
【００２２】
【図１】本願コーン容器の上方から見た斜視図である。
【図２】本願コーン容器の縦断正面図である。
【図３】椀部とソフトアイスクリーム積上げ台との関係を示す部分拡大断面図である。
【図４】椀部の上縁より目立って高位にある積上げ台の台面上へソフトアイスクリームを積上げた状態を示する部分正面図である。
【符号の説明】
【００２３】
１  本願コーン容器
２  液溜り部
３  握り部
４  椀部
４′  椀部の上縁
５  アール面
６  縦割溝
７  積上げ台
７′  外面
７″  中心孔
８  ソフトアイスクリーム
８′  溶け液
９  台面
１０  凹凸接触面（下駄の歯形状）
１１  リブ
１２、１２′  凹所
【図１】
2011051633.tif 000003
【図２】
2011051633.tif 000004
【図３】
2011051633.tif 000005
【図４】
2011051633.tif 000006
【手続補正書】
【提出日】平成21年9月8日(2009.9.8)
【手続補正１】
【補正対象書類名】明細書
【補正対象項目名】００１３
【補正方法】変更
【補正の内容】
【００１３】
前記積上げ台７のソフトアイスクリーム８を積上げる台面９は、前記椀部４の上縁４′より目立つ寸法Ｈだけ高位になっている。この寸法Ｈとしては５〜１５ｍｍ位が適当である。すなわち、積上げ台７の台面９が椀部４の上縁４′より目立って高くなっていると、本願コーン容器１の積上げ台７を、押出機械からソフトアイスクリームを抽出させる出口部に位置させて回しながらソフトアイスクリームを積上げるに際し、積上げ台７上に確実に積上げることができるし、たとえ積上げ台７からはみ出したとしても椀部４の上縁４′にまで及ぶことがない。